(57)【特許請求の範囲】
【請求項１】
一端に接触面（７）を有し、複数の光ファイバ（２）を受け入れるコネクタプラグ部（６）と、該コネクタプラグ部をスライド可能に挿入する結合体（１０）と、該結合体を取り囲みかつ該結合体上においてバネ手段の作用に抗して、結合位置から切り離し位置までスライド可能に配される結合スリーブ（１９）とを具備し、前記コネクタプラグ部が前記接触面を有する端部において前記結合体の外側に突出し、対応するバネ手段が該コネクタプラグ部に外方向に荷重をかけるマルチファイバコネクタプラグ（１）であって、
前記両方のバネ手段が、単一の共通のバネ（２２）よりなることを特徴とするコネクタプラグ。
【請求項２】
前記結合スリーブが、前記コネクタプラグ部（６）に係合する少なくとも１つの突起（２５）を有し、
前記バネ（２２）が、前記結合スリーブ（１９）を前記コネクタプラグ部（６）に向けて押圧するよう部分的に圧縮された状態で前記結合体（１０）内に収容されていることを特徴とする請求項１記載のコネクタプラグ。
【請求項３】
前記結合体（１０）が、２つの相反する側面に溝（２６）を有し、前記結合スリーブ（１９）が、２つの相反する側面において、相互方向に向かいかつ前記溝を通して前記結合体の内側に突出する突起（２５）を搬送し、
前記突起（２５）は、それらの前面が前記コネクタプラグ部（６）に係合し、かつ前記コネクタプラグ部から離れる方向に向かうそれらの後面が前記バネ（２２）のための止め具を形成していることを特徴とする請求項２記載のコネクタプラグ。
【請求項４】
前記結合スリーブ（１９）の突起（２５）が、それぞれ、実質的にＬ字状の断面形状を有し、
該Ｌ字状突起の一の脚部が、前記コネクタプラグ部（６）に向かう軸方向に向けられていることを特徴とする請求項２記載のコネクタプラグ。
【請求項５】
前記結合体（１０）の溝（２６）が、前記コネクタプラグ部（６）とは反対側の端部において開き、
当該端部において、キャリアスリーブ（１４）が前記結合体に接続され、
該キャリアスリーブが、２つの相反する側面に、前記結合体の対応する溝（２６）内にぴったりと受け入れられる突起（２７）を有することを特徴とする請求項３または請求項４記載のコネクタプラグ。
【請求項６】
前記キャリアスリーブ（１４）の２つの相反する側壁（２４）の端縁（２３）が前記バネ（２２）のための止め具を形成していることを特徴とする請求項５記載のコネクタプラグ。
【請求項７】
前記キャリアスリーブ（１４）が前記結合体（１０）とは反対側の端部に、前記光ファイバ（２）を具備する光ケーブル（３）の補強被覆の装着面（１７）を有し、
ブーツ（１８）が、前記補強被覆を締め付けながら前記端部に固定されていることを特徴とする請求項５または請求項６記載のコネクタプラグ。
【請求項８】
前記結合体（１０）が、２つの同一形状のハーフ（１１）よりなっていることを特徴とする請求項１から請求項７のいずれかに記載のコネクタプラグ。
【請求項９】
前記結合スリーブ（１９）が、２つの相反する側面に、斜め外方に向かって延びる操作リップ（２１）を具備することを特徴とする請求項１から請求項８のいずれかに記載のコネクタプラグ。
【発明の詳細な説明】
【０００１】
【発明の属する技術分野】
この発明は、一端部に接触面を有し複数の光ファイバを受け入れるためのコネクタプラグ部と、該コネクタプラグ部がスライド可能に挿入される結合体と、該結合体を取り囲み、該結合体上において結合位置から切り離し位置までバネ手段の作用に抗してスライド可能な結合スリーブとを具備し、前記コネクタプラグ部が、その前記接触面を有する端部を前記結合体の外部に突出させ、対応するバネ手段が前記コネクタプラグ部に外方向に荷重をかける、マルチファイバコネクタプラグに関するものである。
【０００２】
【従来の技術および発明が解決しようとする課題】
この種の公知のコネクタプラグにおいては、コネクタプラグの組立をむしろ複雑にする、複数の別体のバネ部材が使用されている。
この発明の目的は、上述した形式の改良されたマルチファイバコネクタプラグを提供することである。
【０００３】
【課題を解決するための手段】
この目的のために、この発明のコネクタプラグは、前記バネ手段がともに単一の共通バネよりなっていることを特徴としている。
この方式において、結合スリーブおよびコネクタプラグ部の両方に必要なバネ力を印加するために、必要なバネが１つだけで済むという単純化されたコネクタプラグが得られる。
【０００４】
簡易な実施形態によれば、バネは、前記結合体内に収容され、部分的に圧縮されて前記結合スリーブの止め具と前記結合体の止め具との間に受け入れられ、結合スリーブは、前記コネクタプラグ部と係合する少なくとも１つの突起を有している。
【０００５】
【発明の実施の形態】
この発明は、この発明に係るコネクタプラグの実施形態が概略的に示されている図面を参照することによりさらに説明される。
図１は、この発明のマルチファイバコネクタプラグの一実施形態を示す斜視図であり、明確のために、光ファイバは図示されていない。
図２は、図１のコネクタプラグの分解斜視図である。
図３は、結合スリーブおよび端スリーブを消去した、図１のコネクタプラグを示す斜視図である。
図４は、光ファイバケーブルが接続された、図１に示すコネクタプラグの軸方向に沿う縦断面図である。
図面を参照すると、多数の光ファイバを相互に接続するための対応するコネクタプラグと、それ自体自明の方法で結合され得るマルチファイバコネクタプラグとが示されている。
【０００６】
コネクタプラグ１の光ファイバは、図３において符号２で概略的に示されており、外部被覆４を有する光ファイバケーブル３の部分であり、概略的に示された補強被覆５は、通常、ケブラー（商標）繊維よりなっている。
コネクタプラグ１には、コネクタプラグ部６が設けられ、口出しされた光ファイバ２が取り付けられている。このコネクタプラグ部６も、口輪(ferrule) として示されている。
【０００７】
前記コネクタプラグ部６は、接触面７を有し、前記光ファイバ２は符号８で示されるように前記接触面において終端している。さらに、コネクタプラグ部６は、光ファイバの両側の端部において前記接触面７に抜ける２つの孔を具備し、この場合、この孔内に案内ピン９が据え付けられる。ピン９は、コネクタプラグ１が対応するコネクタプラグ１と結合される場合に対応するコネクタプラグ１の孔に受け入れられる。
【０００８】
コネクタプラグ部６は、２つの同一のハーフ１１を組み立ててなる結合体１０内にスライド可能に受け入れ得られ、コネクタプラグ部６は前記接触面７を有するその端部において結合体の外側に突出している。図３に示されるように、コネクタプラグ部６の縁部１２が結合体１０の内縁部１３に当接するので、コネクタプラグ部６は結合体１０の外に押し出されることはできない。以下に説明するように、バネ手段は、縁部１２が縁部１３に対して押圧されるような方法で、コネクタプラグ部６にバネ力を印加する。
【０００９】
キャリアスリーブ１４が、該キャリアスリーブ１４の孔１６に係合する４つのロック指１５によって結合体１０に取り付けられる。このキャリアスリーブ１４は、その結合体１０とは反対側の端部に装着面１７を有し、光ファイバケーブル３の補強被覆５が、例えば、接着によって前記装着面１７に取り付けられる。
【００１０】
最後に、コネクタプラグ１は、結合体１０の外部に突出しているキャリアスリーブ１５の端部に取り付けられる端スリーブまたはブーツ１８によって閉じられる。この端スリーブ１８は、光ファイバケーブル３の補強被覆５を取り囲む。
【００１１】
コネクタプラグ１は、さらに、前記結合体１０を取り囲みかつ該結合体１０の上で、図１，３に示された結合位置から、図示しない引き出された切り離し位置までスライド可能な結合スリーブ１９を具備している。結合位置では、結合スリーブ１９は、結合体１０の両側に設けられた２つの凹所２０を囲い込む。それ自体自明の方法で、バックパネルアダプタのロック指が、例えば、コネクタプラグ１をアダプタ内に保持するために前記凹所内に係合され得る。コネクタプラグ１の切り離しは、結合スリーブ１９を解放した後にこの結合スリーブを結合位置まで戻すように移動させるバネ手段の作用に抗して引き出される切り離し位置まで結合スリーブ１９をスライドさせることにより可能となる。結合スリーブ１９の操作を容易にするために、操作リップ２１が２つの相反する側面に設けられ、該リップ２１は前記端スリーブ１８の方向に向かって斜め外側に延びている。
【００１２】
図示されたコネクタプラグ１においては、上述したバネ手段は、結合体１０の内側に収容されたバネ２２により形成され、かつ、図示された結合位置に前記結合スリーブ１９を押圧する。バネ２２は、前記キャリアスリーブ１４の２つの相反する側壁２４の端縁２３と前記結合スリーブ１９のＬ字状突起２５の背面との間に受け入れられる。これらのＬ字状突起２５は前記結合体１０の相反する側壁に形成された溝を通して結合体１０の内部に突出している。これらの溝２６は、コネクタプラグ部６から離れる方向に向かう端部において開いている。
【００１３】
前記キャリアスリーブ１４には、２つの相反する側壁に、細長い突起２７が設けられ、各突起２７は、キャリアスリーブ１４が結合体１０に据え付けられるときに対応する溝２６内に受け入れられる。
【００１４】
Ｌ字状突起２５は、それぞれコネクタプラグ部６に向かって軸方向に向けられる脚部２８を有し、かつ、このコネクタプラグ部６に係合する前面を有している。このように、バネ２２のバネ力は、コネクタプラグ部６にも印加される。
【００１５】
上で説明したコネクタプラグ１は、結合スリーブ１９とコネクタプラグ部６の両方に必要なバネ力を印加するために、必要なバネはただ１つだけで済むという利点を示しており、それによって、コネクタプラグ１の製造および組立は比較的簡易なものとなる。結合体１０は、２つのハーフ１１よりなっているので、製造はさらに簡略化される。
【００１６】
この発明は、上述した実施形態に限定されるものではなく、発明の範囲内において、多くの態様に変形され得るものである。
【図面の簡単な説明】
【図１】  この発明のマルチファイバコネクタプラグの一実施形態を示す斜視図である。
【図２】  図１のコネクタプラグの分解斜視図である。
【図３】  結合スリーブおよび端スリーブを消去した、図１のコネクタプラグを示す斜視図である。
【図４】  光ファイバケーブルが接続された、図１に示すコネクタプラグの軸方向に沿う縦断面図である。
【符号の説明】
１  マルチファイバコネクタプラグ
２  光ファイバ
３  光ケーブル
６  コネクタプラグ部
７  接触面
１０  結合体
１１  ハーフ
１４  キャリアスリーブ
１７  装着面
１８  ブーツ
１９  結合スリーブ
２１  操作リップ
２２  バネ
２３  止め具、端縁
２４  側壁
２５  止め具、突起
２６  溝
２７  突起
【図１】
0003758805.tif 000002
【図２】
0003758805.tif 000003
【図３】
0003758805.tif 000004
【図４】
0003758805.tif 000005